(57)【要約】  【課題】ネットワークを介した画像情報の伝送試験において、作業者に負担をかけることなく容易かつ正確に画像の伝送結果を判定可能な技術を提供する。  【解決手段】テキストデータを前記テキストデータに復元可能な画像データに変換する変換部と、前記画像データをテキストデータとともに送信する送信部と、テキストデータとともに前記画像データを受信したときに、この画像データをテキストデータに再変換する再変換部と、受信したテキストデータと変換した復元テキストデータを比較するデータ比較部とを備える。【選択図】  図１
2005286739.tif 000002
【特許請求の範囲】
【請求項１】
テキストデータを前記テキストデータに復元可能な画像データに変換する変換部と、
前記画像データを前記テキストデータとともに送信する送信部と、
前記テキストデータとともに前記画像データを受信したときに、この画像データをテキストデータに再変換する再変換部と、
受信したテキストデータと変換した復元テキストデータを比較するデータ比較部とを備え、
画像伝送試験装置。
【請求項２】
前記画像データには、誤り訂正機能を有するデータを用いる、請求項１に記載の画像伝送試験装置。
【請求項３】
前記画像データには、誤り訂正機能を有するＱＲコードを用いる、請求項１に記載の画像伝送試験装置。
【請求項４】
テキストデータを前記テキストデータに復元可能な画像データに変換するステップと、
前記画像データを前記テキストデータとともに送信するステップと、
前記テキストデータとともに前記画像データを受信したときに、この画像データをテキストデータに再変換するステップと、
受信したテキストデータと変換した復元テキストデータを比較するステップとをコンピュータに実行させる、コンピュータ実行可能な画像伝送試験プログラム。
【請求項５】
テキストデータを前記テキストデータに復元可能な画像データに変換するステップと、
前記画像データを前記テキストデータとともに送信するステップと、
前記テキストデータとともに前記画像データを受信したときに、この画像データをテキストデータに再変換するステップと、
受信したテキストデータと変換した復元テキストデータを比較するステップとをコンピュータが実行する、画像伝送試験方法。
【発明の詳細な説明】
【技術分野】
【０００１】
本発明は、ネットワークを介して画像を伝送する際の伝送試験技術に関する。
【背景技術】
【０００２】
インターネットや携帯電話サービスが広く普及することにより、一般のユーザは、静止画像付きメールを使用する頻度が増加している。そのため、これらのサービスを提供する業者において、ネットワークの品質を確保することが重要視されている。そして、ネットワークの品質を確保するために、上記サービス提供業者において、効率的かつ確実な試験方法が求められている。
【０００３】
従来、携帯端末の画像添付メールの伝送試験は、作業者が携帯端末を用いて目視で画像を確認していた。図９は、本発明の従来技術を説明する図である。
【０００４】
従来の伝送試験方法では、例えば、画像添付のメールを携帯端末１から携帯端末２あてに送信すると、画像中継サーバ１０は、添付画像に対して、宛先となる携帯端末２の属性（例えば、機種や性能など）に応じて画像変換を行う。そして、画像中継サーバ１０は、テキストメールを用いて、画像の所在を示すＵＲＬ（Uniform Resource Locator）を携帯端末２に送信する。
【０００５】
テキストメールを受信した携帯端末２は、メールによって通知されたＵＲＬが示す画像の格納先に接続する。画像の格納先に接続した携帯端末２は、ネットワークを介して格納された画像を取得して、携帯端末２の画面上（不図示）に表示する。
【０００６】
そして、試験を行う作業者は、携帯端末１と携帯端末２のそれぞれに表示されている画像を目視で比較することで、静止画像伝送が正常に行われているか否かの正常性を確認していた。
【０００７】
ところで、従来から音声やデータ通信に関する自動試験方法は様々な方法が考案されていたものの、画像伝送試験については鑑みられていなかった。また、従来の静止画像伝送の試験技術（例えば、特許文献１及び２参照。）は、予め決められた画像を伝送して、受信側で受信画像と予め決められた画像とのファイルを比較していた。
【特許文献１】特開２００１−２９８４２８号公報
【特許文献２】特表２００３−５００９７２号公報
【発明の開示】
【発明が解決しようとする課題】
【０００８】
しかしながら、目視による静止画像の確認試験方法では、解像度変換などが行われた後の画像データを確認する際に、その判断が作業者の主観に基づいたものとなっていた。このため、従来の伝送試験方法では、静止画像の伝送結果に対して正確な検証ができないという問題があった。
【０００９】
例えば、上記試験方法において、静止画像としてカメラ付き携帯電話で撮影した画像を送信した場合には、以下のような問題が生じることが考えられる。すなわち、上記試験方法では、端末の属性に応じて解像度変換などが行われた後の画像に対して、例えば通信状況に起因する原因（移動網の伝送品質による劣化や画像中継サーバの画像変換ミスなど）により画像が変化した場合には、正常に送信できたか否かを送信先の携帯端末上の画像によって作業者が目視で判断することは困難であった。すなわち、この場合に判断するのが
困難であるのは、画像の変化が大きく、伝送品質による影響を識別できないためである。
【００１０】
また、従来の伝送試験方法では、複数回試験繰り返しを実施することによって、作業者の肉体的、及び精神的な負担が増えるとともに、試験に要する人件費も増大する。このため、従来の伝送試験方法では、長時間にわたる連続試験、あるいは繰り返し行う試験の実施が制限されることが考えられる。従って、従来の伝送試験方法では、長時間連続して試験することによって検出できる問題を発見することは困難であった。
【００１１】
さらに、上記特許文献に関する技術では、伝送途中で解像度等の変換が行われる場合には、対象ファイルが変更されてしまう。このため、これらのファイルに含まれるデータを比較する方法では、上記の問題には対応することは困難であった。すなわち、この方法の場合に対応するのが困難であるのは、データの比較により、多数の不一致が生じるためである。
【００１２】
本発明は上記事項に鑑みて為されたものであり、ネットワークを介した画像情報の伝送試験において、作業者に負担をかけることなく容易かつ正確に画像の伝送結果を判定可能な技術を提供することを、解決すべき課題とする。
【課題を解決するための手段】
【００１３】
本発明は前記課題を解決するために、以下の手段を採用した。
すなわち、本発明は、テキストデータを前記テキストデータに復元可能な画像データに変換する変換部と、前記画像データをテキストデータとともに送信する送信部と、テキストデータとともに前記画像データを受信したときに、この画像データをテキストデータに再変換する再変換部と、受信したテキストデータと変換した復元テキストデータを比較するデータ比較部とを備える、画像伝送試験装置として特定することができる。
【００１４】
本発明では、送信側の端末からテキストデータと画像データとを受信した受信側の端末が、画像データからテキストデータを復元して、復元したテキストデータと受信したテキストデータとを比較することによって、端末間で画像データを伝送するときの画像の伝送結果を判定する。
【００１５】
従って、本発明によれば、ネットワークを介した画像情報の伝送試験において、作業者に負担をかけることなく容易かつ正確に画像の伝送結果を判定可能な技術を提供することができる。
【００１６】
また、本発明は、画像データには、誤り訂正機能を有するデータを用いることが望ましい。
このようにすれば、本発明は、誤り訂正機能に基づいてレベルを判定して、この誤り訂正レベルによって伝送結果の品質を判定することができる。
さらに、本発明は、画像データには、誤り訂正機能を有するＱＲコードを用いてもよい。
【００１７】
なお、本発明は、以上の何れかの機能を実現させるプログラムであってもよい。また、本発明は、そのようなプログラムをコンピュータが読み取り可能な記憶媒体に記録してもよい。また、本発明は、以上の何れかの機能を実現する装置であってもよい。さらに、本発明は、以上の何れかの機能を実現する通信端末であってもよい。
【発明の効果】
【００１８】
本発明によれば、ネットワークを介した画像情報の伝送試験において、作業者に負担をかけることなく容易かつ正確に画像の伝送結果を判定可能な技術を提供するという、優れ
た効果を得ることができる。
【発明を実施するための最良の形態】
【００１９】
以下、図面を参照して、本発明の好適な実施の形態を説明する。
本実施の形態では、受信側で予め受信したテキストデータと、画像データの一例であるバーコード画像から復元したテキストデータとを比較することにより、伝送路の品質を自動的に試験する。
【００２０】
〈システムの構成〉
図１は、本実施の形態に係る、静止画像伝送試験を行うシステムの構成図である。
本システムにおいて、試験対象となる携帯電話網は、画像中継サーバ１０、及びメールサーバ（Webサーバ）２０からなる。本システムにおいて、上記携帯電話網を用いて試験
を行う携帯電話網の送信側は、画像伝送試験に用いるテキストデータと画像データを送信できる試験装置１００、及び携帯端末１から構成される。さらに、上記試験を行う携帯電話網の受信側は、送信側からのテキストデータと画像データを受信できる試験装置２００、及び携帯端末２から構成される。
【００２１】
携帯端末１，２は、一般の携帯電話網における画像伝送機能付きメール通信可能な携帯電話機である。この携帯端末１，２は、画像データ及びテキストデータの伝送機能を備えた情報処理装置（例えば、パーソナルコンピュータ、あるいは携帯情報端末（ＰＤＡ）など）であればよい。
【００２２】
〈試験装置の構成〉
図２は、試験装置の機能構成を示すブロック図の構成図である。本発明の画像伝送試験装置に対応する試験装置１００，２００は、パーソナルコンピュータ(ＰＣ)，携帯情報端末（ＰＤＡ），携帯電話機，その他専用のコンピュータ等の各種コンピュータを用いて構成される。試験装置１００，２００は、不図示のハードウェアとして、制御装置(ＣＰＵ
，主記憶(ＲＡＭ等)，入出力ユニット，ＯＳ，デバイスドライバ等で構成される)，二次
記憶(ハードディスク等)，通信制御装置(ネットワークインターフェイス装置等)を備えている。そして、試験装置１００．２００は、ＣＰＵが二次記憶に格納されている画像伝送試験プログラムを主記憶にロードして実行することにより、上記の画像伝送試験装置の機能を実現するコンピュータとして機能する。
【００２３】
試験装置１００，２００は、上述のハードウェアとプログラムとによって、以下の機能を実現する。なお、送信側の試験装置１００と受信側の試験装置２００は、それぞれの機能構成は同様であるため、試験装置２００についての説明は省略する。
【００２４】
試験装置１００は、制御部１０１，入力部１０２，表示部１０３，試験データ生成部１０４，バーコード画像生成部１０５（変換部），テキストデータ送信部１０６，画像データ送信部１０７，テキストデータ受信部１０８，画像データ受信部１０９，バーコード画像復元部１１０（再変換部），テキストデータ照合部１１１（データ比較部），試験結果処理部１１２を備える。
【００２５】
制御部１０１は、試験装置１００全体の制御を行う。入力部１０２には、作業者からの画像伝送試験に関するコマンドが入力される。表示部１０３は、試験装置１００の処理内容を表示する。試験データ生成部１０４は、画像伝送試験に用いるテキストデータを生成する。バーコード画像生成部１０５は、試験データ生成部１０４が生成したテキストデータに基づいて、このテキストデータをバーコード画像に変換する。テキストデータ送信部１０６は、上記テキストデータを受信側の端末に送信する。画像データ送信部１０７は、バーコード画像生成部１０５が変換したバーコード画像を受信側の端末に送信する。テキ
ストデータ受信部１０８は、送信側の端末から送信されたテキストデータを受信する。画像データ受信部１０９は、送信側の端末から送信されたバーコード画像を受信する。バーコード画像復元部１１０は、受信したバーコード画像をテキストデータに復元する。テキストデータ照合部１１１は、復元したテキストデータと受信したテキストデータとの双方のテキストデータを照合する。さらに、試験結果処理部１１２は、テキストデータ照合部１１１が照合した試験結果を保存して作業者に結果を表示する。
【００２６】
〈動作例１〉
次に、上述の試験装置１００，２００による静止画像伝送試験方法による処理の一例について、図１を用いて説明する。なお、この処理は、試験装置１００，２００のＣＰＵで処理されるプログラムにより実行される。
【００２７】
作業者は、試験装置１００の入力部１０２からの指示に基づいて、試験開始を指示する。試験開始後、試験データ生成部１０４は、入力部１０２からの入力などに基づいて、試験用のテキストデータを生成する（Ｓ１）。
【００２８】
テキストデータ送信部１０６は、携帯端末１を利用して、試験装置２００が接続する携帯端末２にテキストデータを送信する（Ｓ２）。また、テキストデータ送信部１０６は、送信したテキストデータと同じものをデータベース（不図示）に保存する。
【００２９】
受信側の試験装置２００のテキストデータ受信部１０８は、携帯端末２を介してテキストデータを受信する（Ｓ３）。そして、受信したテキストデータは、テキストデータ照合部１１１によって、例えばテキストデータＡとして保存される（Ｓ４）。
【００３０】
次に、試験装置１００のバーコード画像生成部１０５は、保存したテキストデータをバーコード画像に変換（生成）する（Ｓ５）。変換されたバーコード画像は、画像データ送信部１０７によってメールに添付されて、受信側の試験装置２００が接続する携帯端末２に送信される（Ｓ６）。
【００３１】
画像中継サーバ１０は、メールに添付されたバーコード画像を取り出し、宛先の携帯端末２の属性（例えば、機種や画像表示性能など）に応じてその端末に適した画像変換を行う（Ｓ７）。また、画像中継サーバ１０は、バーコード画像の所在を示すＵＲＬをテキストメールで携帯端末２に通知する（Ｓ８）。
【００３２】
テキストメールを受信した携帯端末２は、このテキストメールに含まれるＵＲＬに基づいて画像中継サーバ１０に接続（アクセス）する（Ｓ９）。そして、携帯端末２は、画像中継サーバ１０に格納される画像を参照する（Ｓ１０）。
【００３３】
受信側の試験装置２００の画像データ受信部１０９は、参照したバーコード画像データを受信してデータベース内に保存する。バーコード画像復元部１１０は、受信したバーコード画像を解析してテキストデータに変換する、テキストデータ変換（再変換）を行う。バーコード画像から変換されたテキストデータは、テキストデータ照合部によって例えばテキストデータＢとして保存される。
【００３４】
受信側の試験装置２００のテキストデータ照合部１１１は、受信したテキストデータＡとテキストデータＢとを比較（照合）する。そして、テキストデータ照合部１１１は、双方のテキストデータが所定の基準に基づいて一致していると判断できる場合には、画像伝送試験の結果が正常であると判定する。また、テキストデータ照合部１１１は、双方のテキストデータが所定の基準に基づいて不一致であると判断できる場合には、試験結果が異常であると判定する。テキストデータ照合部１１１は、この試験結果を試験結果処理部１
１２に通知する。
【００３５】
試験結果処理部１１２は、通知された試験結果を保存するとともに、作業者に試験結果を通知するために表示部１０３を通じて試験結果を表示する（Ｓ１１）。
【００３６】
〈動作例２〉
次に、本実施の形態の試験装置の動作例１とは異なる、動作例２について説明する。動作例１では、受信側で予め受信しておいたテキストデータとバーコード画像から復元したテキストデータを比較していた。これに対して動作例２では、送信側の試験装置１００から受信側の試験装置２００にテキストデータを送らない。すなわち、動作例２では、試験装置２００は、試験装置１００にバーコード画像のみを送信する。そして、試験装置２００は、試験装置１００にバーコード画像から復元したテキストデータを送り返す。これにより、動作例２では、送信側の試験装置１００が試験結果を生成するためのテキストデータの比較を行う。
【００３７】
なお、動作例２において、システム全体の構成、及び試験装置１００，２００の機能ブロックの構成は動作例１と同様であり説明は省略する。
【００３８】
図３は、動作例２におけるシステム全体の構成図である。作業者は、試験装置１００の入力部１０２からの指示に基づいて、試験開始を指示する。試験開始後、試験データ生成部１０４は、入力部１０２からの入力などに基づいて、試験用のテキストデータを生成する。このとき、試験データ生成部１０４は、試験用のテキストデータを不図示のデータベース内に保存する（Ｓ２１）。
【００３９】
次に、試験装置１００のバーコード画像生成部１０５は、保存したテキストデータをバーコード画像に変換（生成）する（Ｓ２２）。変換されたバーコード画像は、画像データ送信部１０７によってメールに添付されて、受信側の試験装置２００が接続する携帯端末２に送信される（Ｓ２３）。
【００４０】
画像中継サーバ１０は、メールに添付されたバーコード画像を取り出し、宛先の携帯端末２の属性（例えば、機種や画像表示性能など）に応じてその端末に適した画像変換を行う（Ｓ２４）。また、画像中継サーバ１０は、バーコード画像の所在を示すＵＲＬをテキストメールで携帯端末２に通知する（Ｓ２５）。
【００４１】
テキストメールを受信した携帯端末２は、このテキストメールに含まれるＵＲＬに基づいて画像中継サーバ１０に接続（アクセス）する（Ｓ２６）。そして、携帯端末２は、画像中継サーバ１０に格納される画像を参照する（Ｓ２７）。
【００４２】
受信側の試験装置２００の画像データ受信部１０９は、参照したバーコード画像データを受信してデータベース内に保存する。バーコード画像復元部１１０は、受信したバーコード画像を解析して（Ｓ２８）テキストデータに変換する、テキストデータ変換（再変換）を行う。バーコード画像から変換されたテキストデータは、テキストデータ照合部によって例えばテキストデータＣとして保存される。
【００４３】
受信側の試験装置２００のテキストデータ送信部１０６は、携帯端末２を介してテキストデータを送信する（Ｓ２９）。
【００４４】
試験装置１００のテキストデータ受信部１０８は、携帯端末１を利用して、試験装置２００が送信したテキストデータを受信する（Ｓ２１０）。
そして、受信したテキストデータは、テキストデータ照合部１１１によって、例えばテキ
ストデータＤとして保存される。
【００４５】
受信側の試験装置２００のテキストデータ照合部１１１は、受信したテキストデータＣとテキストデータＤとを比較（照合）する。そして、テキストデータ照合部１１１は、双方のテキストデータが所定の基準に基づいて一致していると判断できる場合には、画像伝送試験の結果が正常であると判定する。また、テキストデータ照合部１１１は、双方のテキストデータが所定の基準に基づいて不一致であると判断できる場合には、試験結果が異常であると判定する。テキストデータ照合部１１１は、この試験結果を試験結果処理部１１２に通知する。
【００４６】
試験結果処理部１１２は、通知された試験結果を保存するとともに、作業者に試験結果を通知するために表示部１０３を通じて試験結果を表示する（Ｓ２１１）。
【００４７】
〈訂正能力判定処理〉
本実施の形態において、試験装置１００のバーコード画像生成部１０５がテキストデータに基づいてバーコード画像に変換する際に、ＱＲ（Quick Response）コードの誤り訂正能力レベルを指定可能にしてもよい。このようにすれば、本実施の形態の試験装置は、そのレベルを変化させることにより伝送途中で指定した誤り訂正能力を超える劣化が生じたことを認識することができる。
【００４８】
すなわち、ＱＲコードの誤り訂正機能を用いることによって、本実施の形態の試験装置は、伝送路の品質、あるいは画像中継サーバによる画像変換の正常性などを把握することができる。
【００４９】
バーコード画像生成部１０５は、テキストデータからバーコード画像を変換する際に、ＱＲコードの誤り訂正能力レベルを選択する。
本実施の形態において、例えばＱＲコードの誤り訂正能力は４段階用意されている。用意された誤り訂正レベルは、レベルＬ，Ｍ，Ｑ，Ｈの４段階である。そして、これらのレベルの誤り訂正能力は、それぞれ約７％、約１５％、約２５％、約３０％と定める。
【００５０】
試験装置１００の画像データ送信部１０７は、指定された誤り訂正能力レベルに応じて、生成されたＱＲコードを送信する。送信されたＱＲコードを受信した試験装置２００のバーコード画像復元部１１０は、受信したＱＲコードをテキストデータに復元する。そして、テキストデータ照合部１１１は、レベルＬ，Ｍ，Ｑ，Ｈの４つのＱＲコードの復元状況により、端末間の伝送品質を評価する。
【００５１】
図４から図８は、本実施の形態に係るＱＲコードの誤り訂正機能を用いた場合の伝送結果の評価例を示す。
図４は、レベルＬ，Ｍ，Ｑ，Ｈすべての復元が可能だったパターン１の場合を示す。また、図５は、レベルＬ以外は復元可能であったパターン２の場合を示す。また、図６は、レベルＬ，Ｍ以外は復元可能であったパターン３の場合を示す。また、図７は、レベルＨ以外は復元不可能であったパターン４の場合を示す。そして、図８は、全てのレベルが復元不可能であったパターン５の場合を示す。ここで、復元可能とは、復元したテキストデータが試験装置１００で生成されたテキストデータと一致した場合をいう。また、ここで、復元不可能とは、復元したテキストデータが試験装置１００で生成されたテキストデータと一致しない場合をいう。
【００５２】
本実施の形態では、全てのレベルのＱＲコードが復元可能であった場合の伝送品質の最高評価をＡとする。そして、以下順に評価を下げて、パターン２，３，４の場合の伝送品質評価をそれぞれＢ，Ｃ，Ｄとしている。また、すべての復元が不可能だったパターン５
の場合は、伝送品質異常と評価している。このような品質評価を実施するために、送信側の試験装置１００は、誤り訂正能力のレベルの異なる複数のＱＲコードにより画像を送信すればよい。一方、受信側の試験装置２００は、復元した画像データのＱＲコードのレベルを参照して、伝送品質を判定すればよい。
【００５３】
以上から、誤り訂正機能を有する画像データとしてＱＲコードを利用することにより、本実施の形態では、伝送途中で指定した誤り訂正能力を超える劣化が生じたことを認識することが可能となる。すなわち、ＱＲコードの誤り訂正機能を利用することにより、本実施の形態では、伝送路の品質や画像中継サーバによる画像変換の正常性をより詳細に把握することができる。
【００５４】
〈実施の形態の効果〉
本実施の形態に係る画像データの伝送試験方法を実現することにより、以下のような効果が得られる。
【００５５】
本実施の形態によれば、画像中継サーバでの解像度変換などで画像データが変更された場合においても、バーコードを用いた画像データの伝送試験を行うことで複雑な画像処理を行うことなく画像伝送試験を行うことが可能である。
【００５６】
さらに、本実施の形態において、画像データのバーコードにＱＲコードを用いれば、誤り訂正機能を利用することにより伝送路の品質や画像中継サーバでの解像度変換の正常性を確認可能である。
【００５７】
また、本実施の形態によれば、画像中継サーバでの画像変換方式に影響を受けることなく、画像データの伝送試験が可能である。
また、本実施の形態によれば、試験結果に作業者の主観が入らないため、常に同じ条件下での確実な判定が可能である。
さらに、本実施の形態によれば、試験装置が自動で試験を行うため、人件費の削減や長時間に及ぶ連続試験が実施可能である。
なお、本実施の形態において、試験装置は、主に画像伝送時における試験の一例について説明したが、本発明ではこれに限らず、その他の情報伝送時の試験に対して広く実施することができる。
〈その他〉
本発明は、以下のように特定することができる。
（付記１）
テキストデータを前記テキストデータに復元可能な画像データに変換する変換部と、
前記画像データを前記テキストデータとともに送信する送信部と、
前記テキストデータとともに前記画像データを受信したときに、この画像データをテキストデータに再変換する再変換部と、
受信したテキストデータと変換した復元テキストデータを比較するデータ比較部とを備える、
画像伝送試験装置。
（付記２）
前記画像データには、誤り訂正機能を有するデータを用いる、付記１に記載の画像伝送試験装置。
（付記３）
前記画像データには、誤り訂正機能を有するＱＲコードを用いる、付記１に記載の画像伝送試験装置。
（付記４）
テキストデータを前記テキストデータに復元可能な画像データに変換するステップと、
前記画像データを前記テキストデータとともに送信するステップと、
前記テキストデータとともに前記画像データを受信したときに、この画像データをテキストデータに再変換するステップと、
受信したテキストデータと変換した復元テキストデータを比較するステップとをコンピュータに実行させる、コンピュータ実行可能な画像伝送試験プログラム。
（付記５）
テキストデータを前記テキストデータに復元可能な画像データに変換するステップと、
前記画像データを前記テキストデータとともに送信するステップと、
前記テキストデータとともに前記画像データを受信したときに、この画像データをテキストデータに再変換するステップと、
受信したテキストデータと変換した復元テキストデータを比較するステップとをコンピュータが実行する、画像伝送試験方法。
（付記６）
伝送路に接続される送信装置と受信装置とを備えるシステムであり、
前記送信装置が、
テキストデータを前記テキストデータに復元可能な画像データに変換する変換部と、
前記画像データを前記テキストデータとともに送信する送信部と、を有し、
前記受信装置が、
前記テキストデータとともに前記画像データを受信したときに、この画像データをテキストデータに再変換する再変換部を有する、画像伝送試験システム。
（付記７）
前記受信装置が、
受信したテキストデータと変換した復元テキストデータを比較するデータ比較部をさらに有する、付記６に記載の画像伝送試験システム。
（付記８）
前記受信装置が、
前記再変換された復元テキストデータと前記送信装置に送信する復元テキスト送信部をさらに有し、
前記送信装置が、
前記復元テキストデータを受信する復元テキスト受信部と、
受信したテキストデータと変換した復元テキストデータを比較するデータ比較部とをさらに有する、付記６に記載の画像伝送試験システム。
（付記９）
前記送信装置において、
前記画像データが、前記テキストデータに復元される際の誤り訂正レベルの異なる誤り訂正符号を複数種類設定可能であり、
前記変換部が、前記テキストデータに対して複数種類設定された誤り訂正符号に基づいて、複数種類の画像データを生成し、
前記送信部が、前記複数種類の画像データを送信する、付記６に記載の画像伝送試験システム。
（付記１０）
前記受信装置が、
再変換された画像データに設定された誤り訂正符号の誤り訂正レベルを特定するレベル特定部をさらに有する、付記７に記載の画像伝送試験システム。
（付記１１）
前記送信装置が、
再変換された画像データに設定された誤り訂正符号の誤り訂正レベルを特定するレベル特定部をさらに有する、付記８に記載の画像伝送試験システム。
【図面の簡単な説明】
【００５８】
【図１】本実施の形態に係る、静止画像伝送試験を行うシステムの構成図である。
【図２】試験装置の機能構成を示すブロック図である。
【図３】動作例２におけるシステム全体の構成図である。
【図４】本実施の形態に係るＱＲコードの誤り訂正機能を用いた場合の伝送結果の評価例である。
【図５】本実施の形態に係るＱＲコードの誤り訂正機能を用いた場合の伝送結果の評価例である。
【図６】本実施の形態に係るＱＲコードの誤り訂正機能を用いた場合の伝送結果の評価例である。
【図７】本実施の形態に係るＱＲコードの誤り訂正機能を用いた場合の伝送結果の評価例である。
【図８】本実施の形態に係るＱＲコードの誤り訂正機能を用いた場合の伝送結果の評価例である。
【図９】本発明の従来技術を説明する図である。
【符号の説明】
【００５９】
１ 携帯端末
２ 携帯端末
１０ 画像中継サーバ
１００ 試験装置
１００ 試験装置
１０１ 制御部
１０２ 入力部
１０３ 表示部
１０４ 試験データ生成部
１０５ バーコード画像生成部
１０６ テキストデータ送信部
１０７ 画像データ送信部
１０８ テキストデータ受信部
１０９ 画像データ受信部
１１０ バーコード画像復元部
１１１ テキストデータ照合部
１１２ 試験結果処理部
２００ 試験装置
【図１】
2005286739.tif 000003
【図２】
2005286739.tif 000004
【図３】
2005286739.tif 000005
【図４】
2005286739.tif 000006
【図５】
2005286739.tif 000007
【図６】
2005286739.tif 000008
【図７】
2005286739.tif 000009
【図８】
2005286739.tif 000010
【図９】
2005286739.tif 000011